(57)【特許請求の範囲】
【請求項１】
映像の早送り再生または巻戻し再生を行う際に、映像を所定の分割数に分割する分割手段と、
前記分割手段により分割された映像に対して早送り再生または巻戻し再生を行う早送り／巻戻し手段と、
前記早送り／巻戻し手段による早送り再生または巻戻し再生が終了したときに、所定時間待機する待機手段と、を備え、
前記早送り／巻戻し手段は、前記待機手段による所定時間の待機が終了したときに、次の映像に対して早送り再生または巻戻し再生を行うことを特徴とする携帯電話機。
【請求項２】
早送り速度または巻戻し速度を示す速さパラメータを取得する取得手段を備え、
前記分割手段は、前記取得手段により取得された速さパラメータに基づいて前記所定の分割数を決定することを特徴とする請求項１記載の携帯電話機。
【請求項３】
前記待機手段は、前記分割手段により分割された映像の分割数、及び、前記早送り／巻戻し手段により早送り再生または巻戻し再生が行われた時間に基づいて、前記所定時間を決定することを特徴とする請求項１記載の携帯電話機。
【請求項４】
前記早送り／巻戻し手段により早送り再生または巻戻し再生が行われた映像の再生時間を表示するとともに、この再生時間が１秒を超過するたびに、再生時間を更新して表示する表示手段を備えたことを特徴とする請求項１記載の携帯電話機。
【発明の詳細な説明】
【技術分野】
【０００１】
本発明は、映像を再生している際に、ユーザの指示に基づいて早送り再生または巻戻し再生を行う携帯電話機に関する。
【背景技術】
【０００２】
近年、携帯電話機等の電子機器の多機能化に伴い、携帯電話機に映像を再生する機能が搭載されるようになってきた。また、これらの携帯電話機では、映像を再生するとき、早送りをしながら再生を行う早送り再生、巻戻しをしながら再生を行う巻戻し再生を行うことができるようになっている。
【０００３】
携帯電話機等の一般的な映像再生機能において、早送り／巻戻しの速さは複数段階（例えば３段階（速さ１〜３））で設定されるようになっているが、それぞれの速さに対する倍速はハード依存であるため指定できないようになっている。
【０００４】
例えば特許文献１には、多量の映像を効率よく短時間で視聴できるようにする映像再生装置が記載されている。この映像再生装置は、映像の任意の区間を通常再生及び早送り再生のいずれかの再生モードで再生可能な映像デコード部と、再生される映像のハイライト情報を取得するハイライト情報取得部と、映像のうち、ハイライト領域は通常再生で再生し、それ以外の領域は早送りさせる再生制御部とを備えている。
【特許文献１】特開２００５−２３６５２７号公報
【発明の開示】
【発明が解決しようとする課題】
【０００５】
映像の各区間を通常再生または早送り再生のいずれかの再生モードで再生する方法は、例えばコマーシャルのみを早送りしたい場合等に便利であるが、早送り中に現在どの区間を早送りしているかが適切に表示されていない場合、ユーザが早送りする区間を容易に選択することができず不便である。また、仮にどの区間を早送りしているかを表示されたとしても、滑らかな表示でないと、ユーザがうまく早送りのための操作を行うことができない。
【０００６】
本発明は、上記課題を鑑みてなされてものであり、ユーザが再生中の映像に対して早送り再生または巻戻し再生を行う区間を指定できるとともに、映像の早送り再生または巻戻し再生の際に滑らかな表示を行うことができる携帯電話機を提供することを目的とする。
【課題を解決するための手段】
【０００７】
上記課題を解決するために、本発明に係る携帯電話機は、映像の早送り再生または巻戻し再生を行う際に、映像を所定の分割数に分割する分割手段と、前記分割手段により分割された映像に対して早送り再生または巻戻し再生を行う早送り／巻戻し手段と、前記早送り／巻戻し手段による早送り再生または巻戻し再生が終了したときに、所定時間待機する待機手段と、を備え、前記早送り／巻戻し手段は、前記待機手段による所定時間の待機が終了したときに、次の映像に対して早送り再生または巻戻し再生を行うことを特徴とする。
【発明の効果】
【０００８】
本発明に係る携帯電話機によると、ユーザが再生中の映像に対して早送り再生または巻戻し再生を行う区間を指定できるとともに、映像の早送り再生または巻戻し再生の際に滑らかな表示を行うことが可能となる。
【発明を実施するための最良の形態】
【０００９】
本発明に係る携帯電話機の実施形態について、添付図面を参照しながら説明する。本発明に係る携帯電話機として、複数の筐体が開閉自在に結合されてなるクラムシェル型の携帯電話機１を例にあげて説明する。図１は、携帯電話機１の開いた状態を示す斜視図である。
【００１０】
携帯電話機１は、図１に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１のＸ方向に所定角度だけ回転自在なように形成されている。携帯電話機１は、上筐体１０を下筐体１１に対して回転させることにより、閉じた状態から開いた状態に、あるいは開いた状態から閉じた状態に変形する。
【００１１】
上筐体１０の内面（下筐体１１に対面する側の面）には、文字や画像等の情報を含んだ表示画面６０を表示するための液晶ディスプレイ１３、音声を出力するためのスピーカ１４が設けられている。これらの液晶ディスプレイ１３やスピーカ１４は、携帯電話機１が閉じた状態のときには、下筐体１１により覆われていて外部に露出していないが、上筐体１０を下筐体１１に対して回転させて開いた状態に変形させたときには、外部に露出される。
【００１２】
下筐体１１の内面（上筐体１０に対面する側の面）には、例えば、カーソルや表示画面を上下左右に移動させるための十字キーや、項目を選択するための選択キーや、数字を入力するための数字キー、発信処理を行うための発信キー等の操作キー１５が設けられている。また下筐体１１には、音声を集音するためのマイクロフォン１６が設けられている。これらの操作キー１５やマイクロフォン１６は、携帯電話機１が閉じた状態のときには、上筐体１０により覆われていて外部に露出していないが、上筐体１０を下筐体１１に対して回転させて開いた状態に変形させたときには、外部に露出される。
【００１３】
図２は、本発明に係る携帯電話機１の機能ブロック図である。携帯電話機１は、図２に示すように、主制御部２０、電源回路部２１、操作入力制御部２２、表示制御部２３、記憶部２４、音声制御部２５、通信制御部２６、地デジ受信部２７、映像再生制御部２８、及びタイマー部２９を備えていて、これらはバスによって相互に通信可能に接続されている。
【００１４】
主制御部２０は、様々なデータ処理や演算を行うＣＰＵ（Ｃｅｎｔｒａｌ  Ｐｒｏｃｅｓｓｉｎｇ  Ｕｎｉｔ）を具備し、携帯電話機１の総括的な制御を行うとともに、様々な演算処理や制御処理等を行う。電源回路部２１は、ユーザによる操作キー１５を介した入力に基づいて電源のオン／オフ状態を切り替え、電源がオン状態の場合には電力供給源（バッテリ等）から各部に対して電力を供給して、携帯電話機１を動作可能にする。
【００１５】
操作入力制御部２２は、操作キー１５に対する入力インタフェースを備え、操作キー１５によって入力された信号を主制御部１１に伝送する。表示制御部２３は、液晶ディスプレイ１３の表示インタフェースを備え、主制御部１１の制御に基づいて、文書データや静止画像データ、映像データ等を液晶ディスプレイ１３に表示する。
【００１６】
記憶部２４は、主制御部１１が処理を行う際に使用するデータを一時的に記憶するＲＡＭ（Ｒａｎｄｏｍ  Ａｃｃｅｓｓ  Ｍｅｍｏｒｙ）、主制御部１１が行う処理の処理プログラム等を格納するＲＯＭ（Ｒｅａｄ  Ｏｎｌｙ  Ｍｅｍｏｒｙ）、ハードディスク、不揮発性メモリ等の記憶装置からなる。映像再生制御部２８が映像再生制御処理を行う際の処理プログラムは、例えばＲＯＭに記憶されている。
【００１７】
携帯電話機１は、他の電話機に対して、例えば基地局（図示せず）を介して音声通話処理を行う。すなわち音声制御部２５は、主制御部２０の制御に基づいて、マイクロフォン１６で集音した音声からアナログ音声信号を生成する。通信制御部２６は、音声制御部２５からアナログ信号を入力すると、この信号をデジタル信号に変換して、このデジタル音声信号をアンテナ２６ａを介して送信する。また通信制御部２６は、アンテナ２６ａを介して受信したデジタル音声信号をアナログ音声信号に変換する。音声制御部２５は、通信制御部２６からアナログ音声信号を取得して、スピーカ１４から音声として出力する。
【００１８】
また、携帯電話機１は、通信端末や他の携帯電話機に対して、電子メールや画像データ、映像データ等の様々なデータの通信処理を行う。通信制御部２６は、主制御部２０の制御に基づいて、アンテナ２６ａを介して受信した受信信号をスペクトラム逆拡散処理してデータを復元する。このデータは、主制御部２０の指示により、液晶ディスプレイ１３に表示されたり記憶部２４に記録されたりする。また通信制御部２６は、主制御部１１の制御に基づいて、操作キー１５を介して入力されたデータや記憶部２４に記憶されたデータに対してスペクトラム拡散処理を行い、アンテナ２６ａを介して送信する。
【００１９】
地デジ受信部２７は、地上波デジタル放送の放送局（図示せず）から放送された地上波デジタル放送の映像信号を受信するアンテナ２７ａを備えている。このアンテナ２７ａを介して受信された映像信号は、映像再生制御部２８に伝送されて映像として液晶ディスプレイ１３に表示されたり、記憶部２４に記憶されたりする。
【００２０】
映像再生制御部２８は、地デジ受信部２７により受信された地上波デジタル放送の映像情報や記憶部２４に記憶されている映像情報を取得すると、これらの情報をデコードして、液晶ディスプレイ１３に映像として表示する。また、映像再生制御部２８は、記憶部２４に記憶された動画ファイル、音声付映像ファイル、映像付き音楽ファイルなどを再生するための操作が操作キー１５によってなされると、当該ファイルを記憶部２４より読み出すように制御され、これらの情報をデコードして、液晶ディスプレイ１３に映像として表示する制御を行うこともできる。
【００２１】
また映像再生制御部２８は、操作キー１５を介した入力に基づいて、液晶ディスプレイ１３に表示中の映像に対して、早送りしながら再生する早送り再生を行ったり、巻戻ししながら再生する巻戻し再生を行ったりする。例えばユーザにより操作キー１５を介して早送り再生または巻戻し再生の指示が入力されると、操作入力制御部２２により早送り再生または巻戻し再生を開始するための早送り／巻戻し開始要求ａ、及び早送り速度または巻戻し速度を示す速さパラメータｂが生成される。映像再生制御部２８は、これらの早送り／巻戻し開始要求ａ、及び速さパラメータｂを受信することに基づいて、早送り再生または巻戻し再生を行う。
【００２２】
タイマー部２９は、映像再生制御部２８の指示に基づいて、所定時間の経過を通知するタイマー処理を行う。タイマー部２９は、映像再生制御部２８からタイマー開始指示ｆを受信すると、このタイマー開始指示ｆに基づいて所定時間（タイマー時間）の計時を開始し、所定時間が経過した際に、映像再生制御部２８にタイマー終了通知ｇを送信する。
【００２３】
ここで、映像再生制御部２８は、映像の早送り再生や巻戻し再生を行う場合、速さパラメータｂが示す速さに基づいて、早送り再生または巻戻し再生の速さを決定する。例えば速さパラメータｂは「１」乃至「３」の３段階で表され、速さパラメータｂが「１」の場合は３倍速の早送り、速さパラメータｂが「２」の場合は６倍速の早送り、速さパラメータｂが「３」の場合は９倍速の早送りを示している。よって、映像再生制御部２８は、速さパラメータｂの値として「３」を受信した場合、９倍速の早送り再生を行う。
【００２４】
また、一般的に、早送り速度または巻戻し速度は通常の再生速度に比べて格段に速いため、ユーザが映像を視聴しながら特定の画面まで早送りまたは巻戻しをしようとした場合に、早送り速度や巻戻し速度が早すぎて画面が認識できず、その特定の画面で早送りまたは巻戻しを終了することが困難であった。
【００２５】
そこで、携帯電話機１では、映像の早送り再生または巻戻し再生を行う際に、速さパラメータｂに基づいて早送り処理または巻戻し処理を複数回に分割して行い、早送り中や巻戻し中であっても映像を滑らかに表示することを可能にしている。
【００２６】
例えば速さパラメータｂが「３」すなわち９倍速で早送り再生を行う場合は、図３（Ａ）に示すように、９秒分の映像を３回に分けて、１秒間に３秒分の早送り処理を３回行う。また、例えば速さパラメータｂが「２」すなわち６倍速で早送り再生を行う場合は、図３（Ｂ）に示すように、６秒分の映像を２回に分けて、１秒間に３秒分の早送り処理を２回行う。また、例えば速さパラメータｂが「１」すなわち３倍速で早送り再生を行う場合は、図３（Ｃ）に示すように、１秒間に３秒分の早送り処理を１回行う。
【００２７】
携帯電話機１が映像再生中にこれらの早送り再生または巻戻し再生を行う際の手順について、図４に示すフローチャート、及び図５乃至図７に示すシーケンス図に基づいて説明する。なお、フローチャートにおける各ステップとシーケンス図における各ステップはそれぞれ対応しているものとする。以下、例えば「ステップＳ１０１」を「Ｓ１０１」のように、「ステップ」の語句を省略して説明する。
【００２８】
始めに、携帯電話機１において映像を再生している際に、操作入力制御部２２が例えばユーザによる操作キー１５を介した入力等により早送り再生または巻戻し再生が操作キー１５によって指示されたことを検知すると、映像再生制御部２８は、この再生中の映像に対して、早送り再生または巻戻し再生の制御を開始する。ここでは、例えばユーザにより９倍速の早送り再生（速さパラメータが「３」）に対応付けられた操作キー１５が押下される等により９倍速の早送り再生が指示されて、映像再生制御部２８が９倍速の早送り再生を行う場合について説明する。
【００２９】
映像再生制御部２８は、早送り再生または巻戻し再生が指示されたか否かを判断する（Ｓ１０１）。この際、図５に示すように、操作入力制御部２２が操作キー１５を介して早送り再生が指示されたことを検知すると、操作入力制御部２２により早送り／巻戻し開始要求ａが生成されて主制御部２０に送信される。映像再生制御部２８は、主制御部２０からこの早送り／巻戻し開始要求ａを受信することに基づいて、早送り再生または巻戻し再生が指示されたものと判断する。
【００３０】
早送り再生または巻戻し再生が指示されていない場合（Ｓ１０１のＮｏ）は、映像再生制御部２８はそのまま待機する。早送り再生または巻戻し再生が指示された場合（Ｓ１０１のＹｅｓ）は、映像再生制御部２８は、速さパラメータｂを取得する（Ｓ１０３）。この速さパラメータｂは、図５に示すように、所定の操作キー１５に速さパラメータｂをそれぞれ対応付ける等によって、ステップＳ１０１にてユーザにより早送り再生または巻戻し再生が指示されるのと同時に指定されても良いし、または、予め所定値が設定されて記憶部２４に記憶されているものを取得するようにしても良い。
【００３１】
映像再生制御部２８は、早送り／巻戻し開始要求ａを受信すると、この早送り／巻戻し開始要求ａを受け取った時刻を現在の表示時刻として記憶部２４に記憶する（Ｓ１０５）。この現在の表示時刻は、再生中の映像の１０００ｍ秒（１秒）毎の経過を計時して液晶ディスプレイ１３にこの映像の再生時間を表示するために使用される。
【００３２】
映像再生制御部２８は、ステップＳ１０５にて記憶された現在の表示時刻からの経過時間と速さとの積が１０００ｍ秒（１秒）以上であるか否かを判断する（Ｓ１０６）。すなわち、早送り再生または巻戻し再生を行っている映像の再生時間がステップＳ１０５にて現在の表示時刻が記憶されてから１秒以上経過したか否かを判断する。
【００３３】
現在の表示時刻からの経過時間と速さとの積が１０００ｍ秒（１秒）以上で合った場合（Ｓ１０６のＹｅｓ）は、映像再生制御部２８は、液晶ディスプレイ１３に表示されている再生中の映像の再生時間を更新するとともに、ステップＳ１０５にて記憶した現在の表示時刻を更新する（Ｓ１０７）。この際、図５に示すように、映像再生制御部２８が液晶ディスプレイ１３に映像の再生時間を示す再生時間通知ｈを送信し、この再生時間通知ｈを受信した液晶ディスプレイ１３は、この再生時間通知ｈに基づいて表示時間を更新する。なお、この表示時間は１秒（１０００ｍ秒）ごとに更新される。
【００３４】
映像再生制御部２８は、現在のシステム時刻を記憶部２４に記憶する（Ｓ１０８）。このシステム時刻は、指定された速さパラメータｂに基づいて実際の早送り再生または巻戻し再生の処理を行うために使用される。
【００３５】
映像再生制御部２８は、ステップＳ１０３にて取得した速さパラメータｂに基づいて、所定時間分の早送り処理または巻戻し処理を行う（Ｓ１０９）。例えば速さパラメータｂの値として「３」が指定され、９倍速で早送り再生する場合、１秒間に９秒分の映像を早送り再生する。上述したように、映像再生制御部２８は、９秒分の映像を３回に分けて、１秒間に３秒分の映像を３回早送りするため、ここでは３秒分の映像の早送り処理を行う。
【００３６】
この際、図５に示すように、映像再生制御部２８が、液晶ディスプレイ１３のドライバ１３ａに所定時間分（例えば３秒分）の早送り再生または巻戻し再生を行うための早送り／巻戻し指示ｃを送信すると、液晶ディスプレイ１３のドライバ１３ａが、この早送り／巻戻し指示ｃを受信するとともに、要求を受け付けたことを示す要求受付通知ｄを映像再生制御部２８に送信する。映像再生制御部２８は、液晶ディスプレイ１３のドライバ１３ａから要求受付通知ｄを受け取ると、同様の要求受付通知ｄを液晶ディスプレイ１３に送信する。液晶ディスプレイ１３は、要求受付通知ｄに基づいて早送り再生または巻戻し再生を開始する旨の表示を行うと良い。
【００３７】
映像再生制御部２８は、ステップＳ１０９の所定時間分（例えば３秒分）の早送り処理または巻戻し処理が終了したか否かを判断する（Ｓ１１１）。この際、液晶ディスプレイ１３のドライバ１３ａは、早送り処理または巻戻し処理が終了した際に、早送り処理または巻戻し処理が完了したことを示す早送り／巻戻し完了通知ｅを送信する。映像再生制御部２８は、図５に示すように、液晶ディスプレイ１３のドライバ１３ａから早送り／巻戻し完了通知ｅを受信することに基づいて、早送り処理または巻戻し処理が終了したものと判断する。終了していない場合（Ｓ１１１のＮｏ）は、映像再生制御部２８はそのまま待機する。
【００３８】
早送り処理または巻戻し処理が終了した場合（Ｓ１１１のＹｅｓ）は、映像再生制御部２８は、タイマーを設定する（Ｓ１１５）。この際のタイマー時間は、（（１秒−（経過時間×分割数））÷分割数の式によって求められる。経過時間は、ステップＳ１０８にて記憶されたシステム時刻から現在までの経過時間である。また、速さパラメータｂが「３」であり９倍速の早送り再生である場合、１秒間に３秒分の映像を３回に分けて早送り再生を行うため、分割数は「３」となる。よって、例えば経過時間が０．１秒であったとすると、経過時間は、（（１秒−（０．１秒×３））／３＝０．２３秒となる。
【００３９】
このようにタイマー時間は、ステップＳ１０８にて記憶されたシステム時刻から早送り／巻戻し完了通知ｅを映像再生制御部２８が受け取った時刻までの経過時間、及び速さパラメータｂ（すなわち分割数）に依存するように設定される。このタイマー時間は、特に、早送り再生または巻戻し再生する映像の個数が分割数の倍数となった場合（例えば速さパラメータｂが「３」なら（３の倍数）回目、速さパラメータｂが「２」なら（２の倍数）回目、速さパラメータｂが「１」なら（１の倍数）回目）、タイマーが終了する時刻が、ステップＳ１０５にて記憶された現在の表示時刻からちょうど１秒後になるように設定される。これにより、液晶ディスプレイ１３に表示されている映像の再生時間を、Ｓ１０７にて、１秒ごとに正確に更新することができる。
【００４０】
図６に示すように、映像再生制御部２８は、タイマーを設定する際、タイマー部２９にタイマー時間を指定してタイマー開始指示ｆを送信する。タイマー開始指示ｆを受信したタイマー部２９はタイマーを開始し、タイマーが終了すると、映像再生制御部２８にタイマー終了通知ｇを送信する。
【００４１】
映像再生制御部２８は、ステップＳ１１５にて設定されたタイマーが終了したか否かを判断する（Ｓ１１７）。この際、映像再生制御部２８は、タイマー部２９からタイマー終了通知ｇを受信することに基づいて、タイマーが終了したものと判断する。タイマーが終了していない場合（Ｓ１１７のＮｏ）は、映像再生制御部２８はタイマーが終了するまで待機する。
【００４２】
タイマーが終了した場合（Ｓ１１７のＹｅｓ）は、映像再生制御部２８は、ステップＳ１０３の場合と同様に、速さパラメータｂを取得する（Ｓ１１９）。早送り再生または巻戻し再生を行っている最中に、ユーザによる操作キー１５を介した入力等により早送り再生または巻戻し再生を終了する指示または別の処理の割り込み指示があった場合に、速さパラメータｂが変更されている。なお、速さパラメータｂは、例えば早送りであれば「１」、「２」、「３」のように表され、巻戻しであれば「−１」、「−２」、「−３」のように表されるものとする。そこで映像制御部２８は、ステップＳ１１９にて取得した速さパラメータｂが１以上（または−１以下）であるか否かを判断する（Ｓ１２１）。
【００４３】
速さパラメータｂが１以上（または−１以下）でない場合（Ｓ１２１のＮｏ）は、早送り再生または巻戻し再生を終了する指示があったことを意味するので、映像再生制御部２８は、早送り再生または巻戻し再生を終了する。速さパラメータｂが１以上（または−１以下）であった場合（Ｓ１２１のＹｅｓ）は、早送り再生または巻戻し再生が継続されていることを意味するため、映像再生制御部２８は、ステップＳ１０６に戻って、再びステップＳ１０６乃至Ｓ１２１の処理を継続する。
【００４４】
なお、前記ステップＳ１０３乃至Ｓ１２１の処理が行われている最中に、他の処理が割り込んだ場合は、映像再生制御部２８は、早送り処理や巻戻し処理を終了して、割り込んだ処理を行う。例えば、映像再生制御部２８は、巻戻し再生を行っている最中に操作キー１５により早送り再生を行うような指示を受けた場合には、巻戻し再生を中断して、早送り再生を行う。
【００４５】
図７（Ａ）に、携帯電話機１において速さパラメータｂを「３」とした場合の早送り再生の状態、図７（Ｂ）に、携帯電話機１において速さパラメータｂを「２」とした場合の早送り再生の状態、図７（Ｃ）に、携帯電話機１において速さパラメータｂを「１」とした場合の早送り再生の状態を示す。また、図８に、従来の携帯電話機における早送り再生の状態を示す。なお、図７及び図８において、早送り処理を行っている状態を黒で、早送り処理を行っていない状態を白で示している。
【００４６】
図７（Ａ）乃至図７（Ｃ）に示すように、携帯電話機１では、例えば９倍速（高速）の早送り再生を行った場合、９秒分の映像を１秒間に３回に分けて再生し、６倍速（中速）の早送り再生を行った場合、６秒分の映像を１秒間に２回に分けて再生し、３倍速（低速）の早送りを行った場合、３秒分の映像を１秒間に１回で再生している。これらの際、各々の映像を再生する合間には、それぞれ待機時間をはさんでいる。携帯電話機１では、早送り速度または巻戻し速度に基づいて、早送り処理または巻戻し処理を複数回に分けて行うことで、早送り再生または巻戻し再生を滑らかに行うことができる。
【００４７】
一方、図８に示すように、従来の方法で９倍速（高速）の早送り再生を行った場合には、９秒分の映像が一度に早送りされてしまうため、ユーザは、この９秒分の映像の最後の一画面しか認識することができない。よって、ユーザが早送り再生しながら特定の画面で早送り処理を終了したい場合であっても、早送りされている画面を認識することができないため、その特定の画面で早送り処理を終了することができない。したがって、ユーザが早送り処理により進め過ぎた部分を、巻戻し処理によって再び巻戻したりする手間が生じてしまう恐れがある。
【００４８】
図９（Ａ）乃至図９（Ｆ）に、携帯電話機１において９倍速の早送り再生を行った場合の画面遷移図を示す。また、図１０（Ａ）乃至図１０（Ｆ）に、従来の携帯電話機において９倍速の早送り再生を行った場合の画面遷移図を示す。なお、図９及び図１０は同様の映像を再生しているものとする。
【００４９】
図９及び図１０を比較すると、携帯電話機１では、図９（Ａ）及び図９（Ｂ）、図９（Ｃ）及び図９（Ｄ）、図９（Ｅ）及び図９（Ｆ）においてそれぞれ３秒分ずつに分割されて早送りされた映像がそれぞれ表示されているが、従来の携帯電話機では、図１０（Ｂ）において９秒分の映像が一度に早送りされてしまい、ユーザにとって、図９（Ｃ）及び図９（Ｄ）に相当する画面が認識できないことがわかる。
【００５０】
このようにして携帯電話機１は、映像の早送り再生または巻戻し再生を行う際に、指定された早送り速度または巻戻し速度に基づいて早送り処理または巻戻し処理を複数回に分割し、これらの分割された処理が終了するたびに、早送り速度または巻戻し速度に基づいてタイマーを設定して待機することにより、指定された倍速の早送り再生または巻戻し再生を滑らかに行うことができる。
【００５１】
本発明に係る携帯電話機１によると、再生中の映像に対して早送り再生または巻戻し再生を行う際に、所定時間分の早送り処理または巻戻し処理を分割して行うようにしたことにより、滑らかな表示を行うことが可能となった。これにより、ユーザは、再生中の映像の特定の画面で早送り処理または巻戻し処理を終了したい場合に、早送り再生または巻戻し再生されている映像を見ながら、その特定の画面を認識して早送り処理または巻戻し処理を終了することができる。
【００５２】
また、本発明に係る携帯電話機１によると、ユーザによる操作キー１５を介した入力等に基づいて、指定された早送り速度または巻戻し速度で早送り再生または巻戻し再生を行うことにより、ユーザは、再生中の映像に対して早送り再生または巻戻し再生を行う区間や、早送り速度または巻戻し速度を自由に指定することができる。
【００５３】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯型ゲーム機、携帯型音楽プレイヤー、ＰＣ（Ｐｅｒｓｏｎａｌ  Ｃｏｍｐｕｔｅｒ）等の映像再生処理を行う情報処理端末であれば任意の情報処理端末であって良い。
【図面の簡単な説明】
【００５４】
【図１】本発明に係る携帯電話機を示す斜視図。
【図２】本発明に係る携帯電話機を示す機能ブロック図。
【図３】（Ａ）は、本発明に係る携帯電話機において９倍速の早送り処理または巻戻し処理を行う例について説明するための図、（Ｂ）は、本発明に係る携帯電話機において６倍速の早送り処理または巻戻し処理を行う例について説明するための図、（Ｃ）は、本発明に係る携帯電話機において３倍速の早送り処理または巻戻し処理を行う例について説明するための図。
【図４】本発明に係る携帯電話機が早送り再生処理または巻戻し再生処理を行う際の手順を示すフローチャート。
【図５】本発明に係る携帯電話機が早送り再生処理または巻戻し再生処理を行う際のデータの流れを示すシーケンス図。
【図６】本発明に係る携帯電話機が早送り再生処理または巻戻し再生処理を行う際のデータの流れを示すシーケンス図。
【図７】（Ａ）は、本発明に係る携帯電話機が９倍速の早送り再生を行った場合の再生状態を示す図、（Ｂ）は、本発明に係る携帯電話機が６倍速の早送り再生を行った場合の再生状態を示す図、（Ｃ）は、本発明に係る携帯電話機が３倍速の早送り再生を行った場合の再生状態を示す図。
【図８】従来の電子機器が９倍速の早送り再生を行った場合の再生状態を示す図。
【図９】（Ａ）乃至（Ｆ）は、本発明に係る携帯電話機が９倍速の早送り再生を行った場合の画面遷移図。
【図１０】（Ａ）乃至（Ｆ）は、従来の電子機器が９倍速の早送り再生を行った場合の画面遷移図。
【符号の説明】
【００５５】
１…携帯電話機，１０…上筐体，１１…下筐体，１２…ヒンジ部，１３…液晶ディスプレイ，１４…スピーカ，１５…操作キー，１６…マイクロフォン，２０…主制御部，２１…電源回路部，２２…操作入力制御部，２３…表示制御部，２４…記憶部，２５…音声制御部，２６…通信制御部，２６ａ…アンテナ，２７…地デジ受信部，２７ａ…アンテナ，２８…映像再生制御部，２９…タイマー部，ａ…早送り／巻戻し開始要求，ｂ…速さパラメータ，ｃ…早送り／巻戻し指示，ｄ…要求受付通知，ｅ…早送り／巻戻し完了通知，ｆ…タイマー開始指示，ｇ…タイマー終了通知，ｈ…再生時間通知，４０…表示画面。
【図１】
0004682185.tif 000002
【図２】
0004682185.tif 000003
【図３】
0004682185.tif 000004
【図４】
0004682185.tif 000005
【図５】
0004682185.tif 000006
【図６】
0004682185.tif 000007
【図７】
0004682185.tif 000008
【図８】
0004682185.tif 000009
【図９】
0004682185.tif 000010
【図１０】
0004682185.tif 000011